(57)【特許請求の範囲】
【請求項１】
被検体からのＭＲＩ信号を収集する架台と被検体を載せて少なくとも前記架台内への入出移動及び上下移動が可能な寝台と、発振部を内蔵してこの発振部からのシステムクロックに基づき前記寝台の駆動制御を行う寝台制御部と、前記寝台の移動のための情報入力を行う第１の操作部と第２の操作部を備え、前記寝台制御部は前記架台でのスキャン実行期間に亘って前記発振部でのシステムクロックの発振を停止する磁気共鳴イメージング装置において、
前記寝台制御部は、前記第２の操作部からの制御信号により前記発振部でのシステムクロックの発振が停止されていても、前記第１の操作部による操作によって前記発振部のシステムクロックの発振を再開する手段を備えたことを特徴とする磁気共鳴イメージング装置。
【発明の詳細な説明】
【０００１】
【発明の属する技術分野】
本発明はＭＲＩ装置に関し、特に寝台制御に使用されるシステムクロックの発振制御の改良に関する。
【０００２】
【従来の技術】
ＭＲＩ装置では、シールドルーム内には被検体からの信号を収集する架台と、被検体を載せて架台内への出し入れや上下動が可能な寝台とが配置される。寝台はその駆動制御を行うために寝台制御回路を有し、その電子回路は発振部からのシステムクロックに基づいて動作する。寝台制御回路は架台に取り付けられている操作パネルのスイッチ（上／下，出／入等）を押すか、又はシールドルームの外にあるコンソールからの指示を通信で受け取って寝台の駆動制御を行う。スキャンを実行してＭＲＩ信号を収集している間は画像へのアーチファクトを防止するために、この寝台制御回路の中の発振部からのシステムクロックを停止させる必要がある。
【０００３】
例えば、特公平７―１１４７６４号公報によれば、これを実現するためにコンソールからの発振制御信号を用いて発振の動作，停止を制御している。即ち、コンソールからの発振制御信号により、スキャン中は発振部でのシステムクロックの発振を停止させている。従って、スキャン中は寝台制御回路は非動作状態にあり、寝台の駆動をすることができず、コンソールからの発振制御信号による発振停止の解除を行うことによって寝台の駆動を再び行うことができる。
【０００４】
【発明が解決しようとする課題】
上記公知例では、スキャン実行中は寝台を駆動しないようにしたものであり、従ってスキャン実行中に被検体の容態が悪化する等の事例により、操作者がシールドルーム内に入り架台に付属する寝台操作スイッチを押して寝台を架台から出そうとしても、それを実行する手段については開示されていない。また、前記公知例では、コンソールからの発振制御信号が何らかの故障で発振停止状態のままになった場合もやはり寝台を移動する必要があるが、この場合についてもその手段の開示がない。
【０００５】
本発明の目的は、スキャン実行中でも緊急時には寝台を移動できるようにすることであり、何らかの故障によって発振停止が持続されている状態を容易に解除できるようにすることである。
【０００６】
【課題を解決するための手段】
本発明は、シールドルーム内に、被検体からのＭＲＩ信号を収集する架台と、被検体を載せて少なくとも前記架台内への入出移動及び上下移動が可能な寝台と、発振部を内蔵してこの発振部からのシステムクロックに基づき前記寝台の駆動制御を行う寝台制御部と、前記寝台の移動のための情報入力を行う第１の操作部とを備え、かつ、前記シールドルーム外に、少なくとも前記寝台の移動のための情報とデータ収集のための情報とを入力する第２の操作部と、この装置の制御を司る制御部とを備えた磁気共鳴イメージング装置において、寝台制御部は、通常は前記架台でのスキャン実行期間に亘って前記発振部でのシステムクロックの発振を停止し、前記第１の操作部による操作によって前記発振部のシステムクロックの発振をいつでも再開するように構成したことである。
【０００７】
【発明の実施の形態】
図１は本発明の概要を示すブロック図である。シールドルーム１内には被検体からＭＲＩ信号を収集する架台２と被検体を載置する寝台３とが配置されている。架台２にはスイッチ４を有する第１の操作部である寝台操作パネル５が設けられている。寝台３はシステムクロック発振器を有する寝台制御部６を持っている。この寝台制御部６はスイッチ４により作動されて公知の駆動手段を制御して寝台３を架台２内へ入出移動および上下移動させるようになっている。スイッチ４と寝台制御部６とは制御線７により接続されている。シールドルーム１外には第２の操作部であるコンソール９が配置され、その制御線８は寝台制御部６に接続されている。コンソール９はこれに内蔵されたこの装置の制御を司る制御部によりスキャン開始信号と終了信号とを発振し、制御線８に開始信号が存在する場合、すなわち、スキャン実行期間中は、寝台制御部６の発振部はシステムクロックの発振を停止し、制御線８にスキャン終了信号が存在する場合には、すなわち、スキャン実行期間外では、寝台制御部６の発振部はシステムクロックを発振するようになっている。このシステムクロックが発振しているときのみ、スイッチ４からは寝台３の入出および上下移動制御信号が制御線７を介して寝台制御部６に与えられ、寝台制御部６はシステムクロックにもとづき、寝台駆動手段を駆動し、寝台３を入出および上下移動させるようになっている。
【０００８】
スキャン実行期間中は前述のごとく、システムクロックの発振は停止しており、従って、寝台３を駆動することはできないが、本発明は、この場合でも、必要に応じ、システムクロックを発振させ、寝台の駆動を可能にすることにある。このために、本発明では、スキャン実行期間中であってシステムクロックが発振していない場合でも、スイッチ４の操作により、システムクロックを発振させるシステムクロック発振制御手段を設けたものである。
【０００９】
図２は、その実施例を示すものであって、寝台制御部６の発振部１０と寝台操作パネル５との間にシステムクロック制御手段１１を設ける。発振部１０は水晶発振器２０とＯＲ回路２１とよりなり、水晶発振器２０，入力端子２１ｂ，ＯＲ回路２１，出力端子２１ｃにより閉ループを構成しており、ＯＲ回路２１の入力端子２１ａに現れる信号のＨＩＧＨ，ＬＯＷにより、出力端子２１ｃへのシステムクロックの発振、停止を行うようになっている。システムクロック制御手段１１はＮＯＲ回路２２とその入力端子２２ａに接続されたＮＡＮＤ回路２３とよりなり、ＮＯＲ回路２２の出力側はＯＲ回路２１の入力端子２１ａに接続し、もう一方の入力端子２２ｂは制御線８に接続し、この制御線８にスキャン終了信号が存在するときは、入力端子２２ｂはＨＩＧＨとなり、発振部１０はシステムクロックを発振し、また、制御線８にスキャン開始信号がある場合には、入力端子２２ｂはＬＯＷとなり、発振部１０はシステムクロックの発振を停止するようにする。図１の制御線７は、図２の制御線７ａと７ｂとよりなり、７ａはＮＡＮＤ回路２３の入力端子に接続し、７ｂは寝台制御部６に接続される。寝台操作パネル５は寝台３を入出上下駆動する指令を発するスイッチ４と定電圧ＶＣＣを供給するための抵抗Ｒとより構成されている。スイッチ４は制御線７ａに接続され、このスイッチ４の操作により、システムクロック制御手段１１に制御信号を与えるようになっている。さらにスイッチ４は制御線７ｂを介して寝台制御部６に接続されており、発振部１０からシステムクロックが発振されているときに、このシステムクロックにもとづき、スイッチ４の操作指令により、寝台制御部６は寝台３を入出上下駆動する駆動手段を制御するようになっている。
【００１０】
上記構成において、寝台３を架台２に対して入出上下移動させる動作を説明する。
【００１１】
スキャン終了時には、すなわち、スキャン実行外の期間ではコンソール９から制御線８にスキャン終了信号が発せられ、入力端子２２ｂはＨＩＧＨになり、スイッチ４のオン／オフに拘らず、ＮＡＮＤ回路２３およびＮＯＲ回路２２の作用により、ＯＲ回路２１の入力端子２１ａがＬＯＷとなるため、発振部１０の出力端子２１ｃからシステムクロックが発振する。このとき、システムクロックにもとづき寝台制御部６はスイッチ４からの指令により、寝台３を上下および入出駆動し、寝台３に載置した被検体を所望の撮影位置に位置決めすることが出来る。
【００１２】
次に、スキャン期間中はシステムクロックの発振を停止させる。この場合には、コンソール９からは制御線８にスキャン開始信号が発せられ、スキャン実行期間中、入力端子２２ｂはＬＯＷになる。この期間中は、スイッチ４はオフになっており、ＮＡＮＤ回路２３の入力はＨＩＧＨで、入力端子２２ａもＬＯＷになる。このとき、水晶発振器２０の出力にかかわらず、ＯＲ回路２１の出力端子２１ｃはＨＩＧＨを維持するため、システムクロックは出力されず、スキャン実行期間中はシステムクロックの発振が停止する。
【００１３】
以上述べた状態でスキャンを実行しているときに、被検体の容態が悪化する等の事例が発生した場合には、操作者がシールドルーム内に入り、寝台操作パネル５のスイッチ４を押して寝台３を移動させる。この場合には、ＮＯＲ回路２２の入力端子２２ｂはＬＯＷになっており、スイッチ４を押すと、ＮＡＮＤ回路２３の出力はＨＩＧＨとなり、従って、ＯＲ回路２１の入力端子２１ａがＬＯＷになって、発振部１０よりその出力端子２１ｃにシステムクロックの発振が再開する。このシステムクロックにもとづき、スイッチ４の指令により、寝台制御部６は作動してその駆動手段により寝台３を駆動する。このとき、システムクロックの発振はスキャン実行中はスイッチ４を押しているときのみ再開するので、その後再び通常の状態に戻ってスキャン実行期間中は発振を停止する様になる。
【００１４】
以上に述べた様に、本実施例では通常はスキャン実行期間中はコンソールからの制御信号８によってシステムクロックは発振を停止しているが、このときでも寝台操作パネル５のスイッチ４を押すことによりシステムクロックの発振は再開され、寝台の移動は可能となる。
【００１５】
また、スキャン実行期間外でも、何らかの故障によりコンソールからの発振制御信号８がＬＯＷのままとなり発振停止状態が持続されても、スイッチ４を押すことによりシステムクロックの発振を再開し寝台を移動することができる。
【００１６】
【発明の効果】
本発明によれば、通常スキャン実行中はコンソールからの発振制御信号８をＬＯＷにすることによりシステムクロックを停止させて画像へのアーチファクトを防止する。しかし、被検体の容態が悪化する等の事態で緊急に寝台を移動させる必要に迫られた場合、シールドルーム１内のスイッチ４を押すことにより、容易にシステムクロックを再開させて寝台を移動させることができる。また、コンソールからの発振制御信号８が何らかの故障でＬＯＷのままとなりシステムクロックの発振を停止させる状態が持続された場合でも、同様にスイッチ４を押すことにより容易に寝台を移動することができる。
【図面の簡単な説明】
【図１】本発明の実施例の概要を示すブロック図。
【図２】本発明の詳細な実施例を示す回路図。
【符号の説明】
１  シールドルーム
２  架台
３  寝台
４  寝台操作パネル
５  スイッチ
６  寝台制御部
７  スイッチからの信号線
８  コンソールからの発振制御線
９  コンソール
１０  発振部
２０  水晶発振器
２１ｃ  システムクロック
【図１】
0003856054.tif 000002
【図２】
0003856054.tif 000003